【手続補正書】
【提出日】平成23年4月7日(2011.4.7)
【手続補正１】
【補正対象書類名】特許請求の範囲
【補正対象項目名】全文
【補正方法】変更
【補正の内容】
【特許請求の範囲】
【請求項１】
記録紙を吸引する吸引領域を備えている吸引プラテンの幅方向にインクジェットヘッドを移動させながら当該記録紙に印刷を行う印刷工程と、
前記吸引プラテンの幅方向における前記記録紙の第１の端部または第２の端部のそれぞれから当該記録紙の外側に第１距離離れている第１退避位置または第２退避位置の外側に前記インクジェットヘッドのインクノズル形成領域が位置するように、前記インクジェットヘッドを移動させるヘッド退避工程と、
前記吸引プラテンの幅方向と交差する方向に前記記録紙を搬送する紙送り工程とを含むことを特徴とするシリアルインクジェットプリンタの印刷制御方法。
【請求項２】
請求項１に記載のシリアルインクジェットプリンタの印刷制御方法において、
前記吸引プラテンの幅方向における前記記録紙の用紙幅に基づいて、前記第１退避位置および第２退避位置を設定する退避位置設定工程を含むことを特徴とするシリアルインクジェットプリンタの印刷制御方法。
【請求項３】
請求項１または２に記載されているシリアルインクジェットプリンタの印刷制御方法において、
前記ヘッド退避工程では、前記印刷工程で前記インクジェットヘッドが移動した方向の先に位置する前記第１退避位置または第２退避位置の側に前記インクジェットヘッドを移動させることを特徴とするシリアルインクジェットプリンタの印刷制御方法。
【請求項４】
請求項１ないし３のうちのいずれかの項に記載のシリアルインクジェットプリンタの印刷制御方法において、
前記印刷工程の前に、前記記録紙の用紙幅に基づいて前記吸引プラテンの幅方向における前記第１の端部および第２の端部位置を取得する記録紙端部位置取得工程と、
前記吸引プラテンの幅方向における前記インクジェットヘッドの前記印刷工程の後に位置する印刷終了位置を取得して、前記印刷終了位置にある前記インクジェットヘッドのインクノズル形成領域が前記第１の端部および第２の端部から前記記録紙の内側に第２距離以上離れているか否かを判定するヘッド位置判定工程を含み、
前記インクノズル形成領域が前記第１の端部および第２の端部から前記記録紙の内側に前記第２距離以上離れている場合には、前記ヘッド退避工程では、前記インクジェットヘッドを移動させず前記印刷終了位置に維持することを特徴とするシリアルインクジェットプリンタの印刷制御方法。
【請求項５】
請求項１ないし４のうちのいずれかの項に記載のシリアルインクジェットプリンタの印刷制御方法において、
前記記録紙の用紙幅が前記吸引プラテンの幅方向における前記吸引領域の幅以上か否かを判定する用紙幅判定工程を含み、
前記記録紙の用紙幅が前記吸引領域の幅以上の場合には、前記印刷工程と、前記紙送り工程のみとすることを特徴とするシリアルインクジェットプリンタの印刷制御方法。
【請求項６】
請求項２ないし５のうちのいずれかの項に記載のシリアルインクジェットプリンタの印刷制御方法において、
印刷を指示する制御指令を外部機器から受信し、前記制御指令に含まれている前記記録紙の用紙幅を取得する用紙幅取得工程を含んでいることを特徴とするシリアルインクジェットプリンタの印刷制御方法。
【請求項７】
請求項２ないし５のうちのいずれかの項に記載のシリアルインクジェットプリンタの印刷制御方法において、
紙幅検出器によって前記記録紙の用紙幅を取得する用紙幅取得工程を含んでいることを特徴とするシリアルインクジェットプリンタの印刷制御方法。
【請求項８】
記録紙を吸引するための吸引領域を備えた吸引プラテンと、
前記吸引プラテンの幅方向に移動可能に配置され、前記記録紙に印刷を行うインクノズルを備えたインクジェットヘッドと、
前記インクジェットヘッドによる印刷後、前記吸引プラテンの幅方向における前記記録紙の第１の端部または、第２の端部のそれぞれから当該記録紙の外側に第１距離離れている第１退避位置または第２退避位置の外側に前記インクジェットヘッドのインクノズル形成領域が位置するように、前記インクジェットヘッドを移動させ、前記インクジェットヘッドが移動した後に、前記吸引プラテンの幅方向と交差する方向に前記記録紙を搬送する制御部を備えたことを特徴とするシリアルインクジェットプリンタ。
【請求項９】
請求項８に記載のシリアルインクジェットプリンタにおいて、
前記吸引プラテンの幅方向における前記記録紙の用紙幅に基づいて前記第１退避位置および第２退避位置を設定する退避位置設定部を備えたことを特徴とするシリアルインクジェットプリンタ。
【請求項１０】
請求項８または９に記載されているシリアルインクジェットプリンタにおいて、
前記制御部は、印刷時に前記インクジェットヘッドを移動させた方向の先に位置する前記第１退避位置または第２退避位置のいずれかに前記インクジェットヘッドを移動させることを特徴とするシリアルインクジェットプリンタ。
【請求項１１】
請求項８ないし１０のうちのいずれかの項に記載のシリアルインクジェットプリンタにおいて、
前記記録紙の用紙幅に基づいて前記吸引プラテンの幅方向における前記第１の端部および第２の端部位置を取得する記録紙端部位置取得部と、
前記制御部は、前記吸引プラテンの幅方向における前記インクジェットヘッドの印刷終了位置を取得して、前記印刷終了位置にある前記インクジェットヘッドのインクノズル形成領域が前記記録紙の第１の端部および第２の端部から前記記録紙の内側に第２距離以上離れているか否かを判定し、
前記インクノズル形成領域が前記第１の端部および第２の端部から前記第２距離以上離れている場合には、前記インクジェットヘッドを移動させず前記印刷終了位置に維持することを特徴とするシリアルインクジェットプリンタ。
【請求項１２】
請求項８ないし１１のうちのいずれかの項に記載のシリアルインクジェットプリンタにおいて、
前記制御部は、前記記録紙の用紙幅が前記吸引プラテンの幅方向における前記吸引領域の幅以上か否かを判定し、前記記録紙の用紙幅が前記吸引領域の幅以上の場合には、前記インクジェットヘッドを移動させないことを特徴とするシリアルインクジェットプリンタ。
【請求項１３】
請求項８ないし１２のうちのいずれかの項に記載のシリアルインクジェットプリンタにおいて、
制御指令を外部機器から受信し、前記制御指令に含まれている前記記録紙の用紙幅を取得する用紙幅取得部を有していることを特徴とするシリアルインクジェットプリンタ。
【請求項１４】
請求項８ないし１３のうちのいずれかの項に記載のシリアルインクジェットプリンタにおいて、
前記記録紙の用紙幅を取得する紙幅検出器を有していることを特徴とするシリアルインクジェットプリンタ。
【手続補正２】
【補正対象書類名】明細書
【補正対象項目名】０００７
【補正方法】変更
【補正の内容】
【０００７】
上記の課題を解決するために、本発明のシリアルインクジェットプリンタの印刷制御方法は、
記録紙を吸引する吸引領域を備えている吸引プラテンの幅方向にインクジェットヘッドを移動させながら当該記録紙に印刷を行う印刷工程と、
前記吸引プラテンの幅方向における前記記録紙の第１の端部または第２の端部のそれぞれから当該記録紙の外側に第１距離離れている第１退避位置または第２退避位置の外側に前記インクジェットヘッドのインクノズル形成領域が位置するように、前記インクジェットヘッドを移動させるヘッド退避工程と、前記吸引プラテンの幅方向と交差する方向に前記記録紙を搬送する紙送り工程とを含むことを特徴とする。
【手続補正３】
【補正対象書類名】明細書
【補正対象項目名】０００８
【補正方法】変更
【補正の内容】
【０００８】
本発明によれば、吸引プラテンの幅方向に移動しながら記録紙に印刷を行ったインクジェットヘッドは、そのインクノズル形成領域が記録紙の両端部から第１距離離れている第１退避位置または第２退避位置の外側に位置するように移動させられる。また、インクジェットヘッドが移動させられた後に、記録紙の紙送りが行われる。この結果、インクジェットヘッドのインクノズル形成領域が記録紙の第１の端部および第２の端部で停止していることがないので、紙端付近で吸引プラテンの吸引に起因する気流によって紙粉や埃が飛散し易い状態になっていても、インクノズル形成領域に紙粉や埃が付着することを抑制または回避できる。また、紙送りが行われる際には、インクノズル形成領域は記録紙の端部から離れた位置に配置されているので、記録紙と一緒に運ばれてきた紙粉や埃が飛散しても、インクノズル形成領域に紙粉や埃が付着することを抑制または回避できる。
【手続補正４】
【補正対象書類名】明細書
【補正対象項目名】０００９
【補正方法】変更
【補正の内容】
【０００９】
本発明において、第１退避位置および第２退避位置は、インクノズル形成領域が吸引に起因した気流の影響を受けないように、吸引プラテンの吸引領域よりも第１距離以上外側に離れた位置としたり、印刷に使用される記録紙の最大用紙幅に基づいて第１退避位置および第２退避位置を設定したりすることができるが、インクジェットヘッドの移動距離を短縮するためには、前記吸引プラテンの幅方向における前記記録紙の用紙幅に基づいて、前記第１退避位置および第２退避位置を設定する退避位置設定工程を含むことが望ましい。
【手続補正５】
【補正対象書類名】明細書
【補正対象項目名】００１０
【補正方法】変更
【補正の内容】
【００１０】
本発明において、インクジェットヘッドを退避させるための駆動制御を簡易にするためには、前記ヘッド退避工程では、前記印刷工程で前記インクジェットヘッドが移動した方向の先に位置する前記第１退避位置または第２退避位置の側に前記インクジェットヘッドを移動させることが望ましい。
【手続補正６】
【補正対象書類名】明細書
【補正対象項目名】００１１
【補正方法】変更
【補正の内容】
【００１１】
また、本発明において、前記記録紙の用紙幅に基づいて前記吸引プラテンの幅方向における前記第１の端部および第２の端部位置を取得する記録紙端部位置取得工程と、
前記吸引プラテンの幅方向における前記インクジェットヘッドの前記印刷工程の後に位置する印刷終了位置を取得して、前記印刷終了位置にある前記インクジェットヘッドのインクノズル形成領域が前記第１の端部および第２の端部から前記記録紙の内側に第２距離以上離れているか否かを判定するヘッド位置判定工程を含み、前記インクノズル形成領域が前記第１の端部および第２の端部から前記記録紙の内側に前記第２距離以上離れている場合には、前記ヘッド退避工程では、前記インクジェットヘッドを移動させず前記印刷終了位置に維持することが望ましい。すなわち、印刷終了位置にあるインクジェットヘッドのインクノズル形成領域が記録紙の第１の端部および第２の端部から前記記録紙の内側に第２距離以上離れている場合には、インクジェットヘッドを移動させずに印刷終了位置に維持することにより、インクノズル形成領域まで紙粉や埃などが飛散してくることを抑制または回避できる。また、このようにすれば、インクジェットヘッドを移動させなくて済むので、印刷時間を短縮できる。
【手続補正７】
【補正対象書類名】明細書
【補正対象項目名】００１２
【補正方法】変更
【補正の内容】
【００１２】
本発明において、印刷に使用されている記録紙の用紙幅が吸引プラテンの吸引領域の幅以上の場合には、吸引領域の幅方向の全体が記録紙に覆われるので、記録紙の端部付近で吸引プラテンの吸引に起因した気流が発生することはない。このような場合に、印刷時間を短縮するためには、前記記録紙の用紙幅が前記吸引プラテンの幅方向における前記吸引領域の幅以上か否かを判定する用紙幅判定工程を含み、前記記録紙の用紙幅が前記吸引領域の幅以上の場合には、前記印刷工程と、前記紙送り工程のみとすることが望ましい。
【手続補正８】
【補正対象書類名】明細書
【補正対象項目名】００１５
【補正方法】変更
【補正の内容】
【００１５】
次に、本発明のシリアルインクジェットプリンタは、
記録紙を吸引するための吸引領域を備えた吸引プラテンと、
前記吸引プラテンの幅方向に移動可能に配置され、前記記録紙に印刷を行うインクノズルを備えたインクジェットヘッドと、
前記インクジェットヘッドによる印刷後、前記吸引プラテンの幅方向における前記記録紙の第１の端部または、第２の端部のそれぞれから当該記録紙の外側に第１距離離れている第１退避位置または第２退避位置の外側に前記インクジェットヘッドのインクノズル形成領域が位置するように、前記インクジェットヘッドを移動させ、前記インクジェットヘッドが移動した後に、前記吸引プラテンの幅方向と交差する方向に前記記録紙を搬送する制御部を備えたことを特徴とする。
【手続補正９】
【補正対象書類名】明細書
【補正対象項目名】００１６
【補正方法】変更
【補正の内容】
【００１６】
本発明によれば、吸引プラテンの幅方向に移動しながら記録紙に印刷を行ったインクジェットヘッドは、制御部によって、そのインクノズル形成領域が記録紙の端部から第１距離離れている第１退避位置または第２退避位置の外側に位置するように移動させられる。また、インクジェットヘッドが移動させられた後に、記録紙の紙送りが行われる。この結果、インクジェットヘッドのインクノズル形成領域が記録紙の第１の端部または第２の端部で停止していることがないので、記録紙端部付近で吸引プラテンの吸引に起因する気流によって紙粉や埃が飛散し易い状態になっていても、インクノズル形成領域に紙粉や埃が付着することを抑制または回避できる。また、紙送りが行われる際には、インクノズル形成領域は記録紙の端部から離れた位置に配置されているので、記録紙と一緒に運ばれてきた紙粉や埃が飛散しても、インクノズル形成領域に紙粉や埃が付着することを抑制または回避できる。
【手続補正１０】
【補正対象書類名】明細書
【補正対象項目名】００１７
【補正方法】変更
【補正の内容】
【００１７】
本発明において、第１退避位置および第２退避位置は、インクノズル形成領域が吸引に起因した気流の影響を受けないように、吸引プラテンの吸引領域よりも第１距離以上外側に離れた位置としたり、印刷に使用される記録紙の最大用紙幅に基づいて第１退避位置および第２退避位置を設定したりすることができるが、インクジェットヘッドの移動距離を短縮するためには、前記吸引プラテンの幅方向における前記記録紙の用紙幅に基づいて前記第１退避位置および第２退避位置を設定する退避位置設定部を有していることが望ましい。
【手続補正１１】
【補正対象書類名】明細書
【補正対象項目名】００１８
【補正方法】変更
【補正の内容】
【００１８】
本発明において、インクジェットヘッドを退避させるための駆動制御を簡易にするためには、前記制御部は、印刷時に前記インクジェットヘッドを移動させた方向の先に位置する前記第１退避位置または第２退避位置のいずれかに前記インクジェットヘッドを移動させることが望ましい。
【手続補正１２】
【補正対象書類名】明細書
【補正対象項目名】００１９
【補正方法】変更
【補正の内容】
【００１９】
また、本発明において、前記記録紙の用紙幅に基づいて前記吸引プラテンの幅方向における前記第１の端部および第２の端部位置を取得する記録紙端部位置取得部と、前記制御部は、前記吸引プラテンの幅方向における前記インクジェットヘッドの印刷終了位置を取得して、前記印刷終了位置にある前記インクジェットヘッドのインクノズル形成領域が前記記録紙の第１の端部および第２の端部から前記記録紙の内側に第２距離以上離れているか否かを判定し、前記インクノズル形成領域が前記第１の端部および第２の端部から前記第２距離以上離れている場合には、前記インクジェットヘッドを移動させず前記印刷終了位置に維持することが望ましい。すなわち、印刷終了位置にあるインクジェットヘッドのインクノズル形成領域が第１の端部および第２の端部から第２距離以上離れていれば、インクジェットヘッドを移動させず印刷終了位置に維持することにより、インクノズル形成領域まで紙粉や埃などが飛散してくることを抑制または回避できる。また、このようにすれば、インクジェットヘッドを移動させなくて済むので、印刷時間を短縮できる。
【手続補正１３】
【補正対象書類名】明細書
【補正対象項目名】００２０
【補正方法】変更
【補正の内容】
【００２０】
本発明において、印刷に使用されている記録紙の用紙幅が吸引プラテンの吸引領域の幅以上の場合には、吸引領域の幅方向の全体が記録紙に覆われるので、記録紙の端部付近で吸引プラテンの吸引に起因した気流が発生することはない。このような場合に、印刷時間を短縮するためには、前記記録紙の用紙幅が前記吸引プラテンの幅方向における前記吸引領域の幅以上か否かを判定する用紙幅判定部を有し、前記制御部は、前記記録紙の用紙幅が前記吸引領域の幅以上の場合には、前記インクジェットヘッドを移動させないことが望ましい。